(57)【要約】      （修正有）【課題】携帯に便利な簡単な構造で堅牢で破損しにくく、かつ、身体の各部に柔らかくかつ有効な刺激を与えることができるマッサージ器具を提供する。【解決手段】マッサージ器具は、全体が円柱状体であって、その軸方向の両端部１０ａ、１０ａにその外径Ｄ１が軸方向中央部１０ｂの外径Ｄ２よりも大径でかつ滑らかな周面を持つフランジ部１２を形成し、該フランジ部１２の外周面から前記軸方向の中央部１０ｂの細径部に向けた外周面１４は弧状の軸方向断面形状で滑らかな連続面に形成されており、前記円柱状体の軸心内を空洞１６としてその空洞１６内に異種の金属体１８，２０を前記軸方向で交互になるように嵌入し、前記円柱状体の軸方向の両端面１０ａ１，１０ａ１には、前記金属体１８が露出して配置されている。【選択図】図３
0003152099.tif 000002
【実用新案登録請求の範囲】
【請求項１】
全体が円柱状体であって、その軸方向の両端部にその外径が軸方向の中央部の外径よりも大径でかつ滑らかな周面を持つフランジ部を形成し、該フランジ部の外周面から前記軸方向の中央部の細径部に向けた外周面は弧状の軸方向断面形状で滑らかな連続面に形成されたマッサージ器具であって、
前記円柱状体の軸心内を空洞としてその空洞内に異種の金属体を前記軸方向で交互になるように嵌入し、前記円柱状体の軸方向の両端面には、前記金属体が露出して配置されていることを特徴とするマッサージ器具。
【請求項２】
前記円柱状体の軸方向の両端面に露出する金属体が同種金属であることを特徴とする請求項１に記載のマッサージ器具。
【請求項３】
前記円柱状体は、木材または樹脂材からなる絶縁材で形成され、前記金属体は、銅系の金属材とアルミニウム系の金属材とを有してなり、前記円柱状体の軸方向の両端面で露出する金属体が銅系の金属材からなることを特徴とする請求項２に記載のマッサージ器具。
【請求項４】
前記円柱状体はブナ材で形成され、前記両端面で露出する金属体はりん青銅であり、他の金属体はアルミニウムであることを特徴とする請求項３に記載のマッサージ器具。
【請求項５】
前記円柱状体は、その軸方向長さが１３０〜１５０（ｍｍ）、フランジ部の外径が５０〜８０（ｍｍ）、フランジの軸方向長さが２０〜３５（ｍｍ）、中央部の外径が２０〜４５（ｍｍ）であることを特徴とする請求項１〜４のうちのいずれか１項に記載のマッサージ器具。
【考案の詳細な説明】
【技術分野】
【０００１】
本考案は携帯型のマッサージ器具に関するものである。
【背景技術】
【０００２】
この種のマッサージ器具には、モータで振動させたローラを身体に押し付ける電動式のものと、多数の突起を備えた棒体で身体を擦る手動式のものがある。
【０００３】
例えば、特開２００８−１７８６３１号公報（特許文献１）では、ハンドル部から突出状に設けられたゴルフボールを押圧転動させる操作に伴い、ボール自体がバイブレーション効果を発揮するマッサージ器が提案されている。
【０００４】
また、実開平７−４３９５５号公報（特許文献２）では、大小のローラを配列して棒状とし、外周に円弧状の歯（凸部）を複数配列して形成した大ローラ、および、台形の歯を複数配列して形成した小ローラを、シャンクを有する軸に回転自在に設けた按摩棒が提案されている。
【先行技術文献】
【特許文献】
【０００５】
【特許文献１】特開２００８−１７８６３１号公報
【特許文献２】実開平７−４３９５５号公報
【考案の概要】
【考案が解決しようとする課題】
【０００６】
しかしながら、前者のマッサージ器は電動であるため寸法が大きくなりやすく持ち運びにくく、かつ、電源のない場所では使用できず不便である。
【０００７】
また、後者の按摩棒は複数のローラを軸に通すという複数部品からなるので構造が複雑で部品の破損が生じやすい問題点がある。
また、使用者が肩や背中などに用いようとした場合、ローラの歯の突起が肩や背中の骨のある部分に当り痛さを感じる等の不具合な感触が生じる欠点がある。
【０００８】
本考案は、このような事情に鑑みなされたもので、携帯に便利な簡単な構造で堅牢で破損しにくく、かつ、身体の各部に柔らかくかつ有効な刺激を与えることができるマッサージ器具を提供することを目的とする。
【課題を解決するための手段】
【０００９】
本考案はマッサージ器具に係り、全体が円柱状体であって、その軸方向の両端部にその外径が軸方向の中央部の外径よりも大径でかつ滑らかな周面を持つフランジ部を形成し、該フランジ部の外周面から前記軸方向の中央部の細径部に向けた外周面は弧状の軸方向断面形状で滑らかな連続面に形成されたマッサージ器具であって、
前記円柱状体の軸心内を空洞としてその空洞内に異種の金属体を前記軸方向で交互になるように嵌入し、前記円柱状体の軸方向の両端面には、前記金属体が露出して配置されていることを特徴とするマッサージ器具である。
【００１０】
本考案において、前記円柱状体の軸方向の両端面に露出する金属体が同種金属であることが好適である。
【００１１】
また、本考案において、前記円柱状体は、木材または樹脂材からなる絶縁材で形成され、前記金属体は、銅系の金属材とアルミニウム系の金属材とを有してなり、前記円柱状体の軸方向の両端面で露出する金属体が銅系の金属材からなることが好適である。
【００１２】
また、本考案において、前記円柱状体はブナ材で形成され、前記両端面で露出する金属体はりん青銅であり、他の金属体はアルミニウムであることが好適である。
【００１３】
また、本考案において、前記円柱状体は、その軸方向長さが１３０〜１５０（ｍｍ）、フランジ部の外径が５０〜８０（ｍｍ）、フランジの軸方向長さが２０〜３５（ｍｍ）、中央部の外径が２０〜４５（ｍｍ）であることが好適である。
【考案の効果】
【００１４】
本考案のマッサージ器具によれば、フランジ部の外周面から軸方向中央部の細径部に向けた外周面が弧状の軸方向断面形状で滑らかな連続面に形成されているので、肩部や背中をマッサージするときに骨のある比較的硬い部位を、軟らかく当接して従来の凸部のようにゴツゴツした使用感を与える刺激等をせずに、その硬い部位の周囲に適切に当接して刺激できる。
また、フランジ部に比較して中央部が細径で弧状の断面形状なのでその中央部付近が凹んでおり、凹んだ部分に腕や首等の対象部位を嵌めるようにして当ててマッサージすることにより、中央部からフレンジ部にかけて軟らかく対象部位をマッサージすることができる。
【００１５】
また、上記のようなマッサージを行う際に、異種金属同士の電位差による電界等が対象部位に影響するので一層のマッサージ効果が期待できる。
また、円柱状体の軸方向の両端面に金属体が露出して配置されるので、金属体に直接触る等して刺激によるマッサージ効果も期待できまた、製造の際に、金属体を嵌入させるのが容易である。
【００１６】
したがって、本発明によれば、携帯に便利な簡単な構造で堅牢で破損しにくく、かつ、身体の各部に柔らかくかつ有効な刺激を与えることができるマッサージ器具を提供することができる。
【００１７】
なお、本発明において、前記軸方向の両端面に露出する金属体が同種金属であるものとすることによって、その軸方向端面から露出する金属体の電位差等によって指先などの対象部位に刺激を与えることができる。
【００１８】
前記円柱状体は、木材または樹脂材からなる絶縁材で形成され、前記金属体は、銅系の金属材とアルミニウム系の金属材とを有してなり、前記円柱状体の軸端部で露出する金属体が銅系の金属材からなるものにでき、特に、前記円柱状体は、ブナ材で形成され、前記金属体はりん青銅と、アルミニウムであるものにして軽く小型にできる。金属体のりん青銅とアルミニウムはイオン化傾向金属であるので、電位差が生じその電位差によるマッサージ効果が期待できる。
したがって、携帯性に優れる等の名一層のマッサージ効果が期待できる等の優れた効果を奏し得る。
【図面の簡単な説明】
【００１９】
【図１】本考案の実施形態に係るマッサージ器具の側方から見た外観図である。
【図２】（ａ）は図１のマッサージ器具の軸方向端面から見た図、（ｂ）は図１のＢ−Ｂ横断面視図である。
【図３】図１のマッサージ器具の縦断面図である。
【図４】（ａ）、（ｂ）は、図１のマッサージ器具の使用状態説明図である。
【考案を実施するための形態】
【００２０】
以下、本考案の実施形態について、添付図面を参照して説明する。
【００２１】
図１〜図３に示すように、実施形態に係るマッサージ器具は、全体が円柱状体１０であって、その軸方向（図２に符号Ｇで示す）の両端部１０ａ、１０ａにその外径Ｄ１が軸方向中央部１０ｂの外径Ｄ２よりも大径でかつ滑らかな周面を持つフランジ部１２を形成している。
【００２２】
該フランジ部１２の外周面から前記軸方向の中央部１０ｂの細径部に向けた外周面１４は弧状の軸方向断面形状で滑らかな連続面に形成されている。具体的には、円柱状体１０は、略鼓形状または略コロ形状を呈している（図３参照）。
【００２３】
また、前記円柱状体１０の軸心内を空洞１６としてその空洞１６内に異種の金属体１８，２０を前記軸方向で交互になるように嵌入し、前記円柱状体１０の軸方向の両端面１０ａ１，１０ａ１には、前記金属体１８が露出して配置されている。
【００２４】
また、前記円柱状体１０の軸方向の両端面１０ａ１，１０ａ１に露出する金属体１８が同種金属である。
【００２５】
また、前記円柱状体１０は、木材または樹脂材からなる絶縁材で形成される。前記金属体１８、２０は、銅系の金属材、アルミニウム系の金属材からなり、前記円柱状体１０の軸端部１０ａで露出する金属体１８が銅系の金属材からなるものである。
【００２６】
具体的には、前記円柱状体１０は、ブナ材で形成され、前記金属体１８はりん青銅、他の金属体２０はアルミニウムである。
【００２７】
また、前記円柱状体１０は、その軸方向長さＬ０が１３０〜１５０（ｍｍ）、フランジ部１２の外径Ｄ１が５０〜８０（ｍｍ）、フランジの軸方向長さＬ２が２０〜３５（ｍｍ）、中央部１０ｂの外径Ｄ２が２０〜４５（ｍｍ）、空洞１６の内径が５〜１５（ｍｍ）である。前記フランジ部１２の外周面から前記軸方向の中央部１０ｂの細径部に向けた外周面１４の凹み深さＴ１は、５〜６０（ｍｍ）である。
【００２８】
実施形態のマッサージ器具によれば、フランジ部１２の外周面から軸方向中央部１０ｂの細径部に向けた外周面１４が弧状の軸方向断面形状で滑らかな連続面に形成されているので、肩部や背中をマッサージするときに骨のある難い部分を直接刺激せずにその周囲を適切に刺激でき、いわゆるつぼ等を刺激したり血液やリンパ液の流れをよくしたりして効果的なマッサージを可能にする。
【００２９】
実際の使用では、図４（ａ）に示すように、使用者の背中面２４に実施形態のマッサージ器具を当てると、背骨によって突き出した部分２４ａから外周面１４の凹みで逃げているのでその突き出した部分２４ａに直接あらたずまたは当たりにくく、かつ、両フランジ部１２がその部分２４ａの周囲に当たるので背骨で突き出した部分に刺激することなく、背骨周囲を適切にマッサージできる。
【００３０】
また、フランジ部１２に比較して中央部１０ｂが細径であってその外周面１４が弧状の断面形状なので、前記中央部１０ｂ付近が凹んでおり、凹んだ部分に腕や首等の対象部位を嵌めるようにして当ててマッサージすることにより中央部１０ｂからフランジ部１２にかけて軟らかく対象部位をマッサージすることがができる。これによって血液やリンパ液の流れを一層良くして効果的なマッサージが可能になる。実際の使用では、図４（ｂ）に示すように、肩部２６や腕部２８に前記外周面１４の凹みを嵌めるようにしてマッサージすれば快適なマッサージを可能にする。
【００３１】
したがって、実施形態のマッサージ器具によれば、携帯に便利な簡単な構造で堅牢で破損しにくく、かつ、身体の各部に柔らかくかつ有効な刺激を与えることができるマッサージ器具を提供可能にする。
【００３２】
また、このマッサージの際に、異種金属同士の電位差による電界が対象部位に影響するので一層のマッサージ効果が期待できる。
【００３３】
なお、上記金属体１８を、前記円柱状体１０の軸方向の両端面１０ａ１，１０ａ１で露出させて、前記軸方向両端面１０ａ１，１０ａ１に露出する金属体１８が同種金属であるものであるのでその軸方向の両端面１０ａ１，１０ａ１から露出する金属体１８と内部金属体２０との電位差等によって指先などの対象部位に刺激を与えることができる。
【００３４】
また、前記円柱状体１０は、木材または樹脂材からなる絶縁材で形成され、前記金属体１８は銅系の金属材からなり、他の金属体はアルミニウム系の金属材からなりものとしている。前記円柱状体１０の軸端部１０ａで露出する金属体１８が銅系の金属材からなるものにし、特に、前記円柱状体１０は、ブナ材で形成し、前記金属体１８はりん青銅、他の金属体２０はアルミニウムにすれば、異種金属同士の電位差が確実に生じ一層のマッサージ効果が期待できる。
【００３５】
なお、本考案は上記実施形態に限定されないことはもちろんであり、本考案の範囲内で種々に変形実施できる。例えば、実施形態では、図３に示すように異種の金属体が交互に密着して設けられているが、適宜に間に他の物質を介装することができる。また、空洞１６は中空円筒の内部形状のように形成されているが、円柱状体１０の内部を大きくえぐって空間を大きくして、空洞のままとし、またはその空間内に金属体またはそれ以外のものを適宜に収容することもできる。
【産業上の利用可能性】
【００３６】
本考案のマッサージ器具は、人体の各部位例えば、背中、腕、手、脚部、足に利用して効果的かつ軟らかい使用感でマッサージできるマッサージ器具を提供できる。
【符号の説明】
【００３７】
１０  円柱状体
１０ａ、１０ａ  軸方向の両端部
１０ａ１、１０ａ１  軸方向の両端面
１０ｂ  軸方向の中央部
１２  フランジ部
１４  フランジ部から中央部に向けた外周面
１６  空洞
１８、２０  金属体
Ｄ１  フランジ部の外径
Ｄ２  中央部の外径
Ｇ  円柱状体の軸
【図１】
0003152099.tif 000003
【図２】
0003152099.tif 000004
【図３】
0003152099.tif 000005
【図４】
0003152099.tif 000006